【手続補正書】
【提出日】平成16年7月6日(2004.7.6)
【手続補正１】
【補正対象書類名】明細書
【補正対象項目名】発明の名称
【補正方法】変更
【補正の内容】
【発明の名称】画像処理装置および画像処理装置の制御方法およびコンピュータが読み取り可能なプログラムを格納した記憶媒体およびプログラム
【手続補正２】
【補正対象書類名】明細書
【補正対象項目名】特許請求の範囲
【補正方法】変更
【補正の内容】
【特許請求の範囲】
【請求項１】
画像データおよびプリントジョブの内容が記憶された記録媒体より、前記画像データとプリントジョブの内容を読み取る手段を有し、該読み取られたプリントジョブに従い画像データのプリントを行う画像処理装置であって、
前記記録媒体中に記録された画像データの属性情報を読み出す手段と、前記読み出す手段により読み出された前記属性情報を用いて、前記画像データの画像特性を調整する調整手段と、
前記調整手段により画像調整された画像データをプリントする印刷手段と、
を有することを特徴とする画像処理装置。
【請求項２】
前記属性情報に関するデータは、プリントジョプを指示するファイル中に記録されていることを特徴とする請求項１記載の画像処理装置。
【請求項３】
前記属性情報、および属性情報に関するデータが、書き換え可能に管理されていることを特徴とする請求項１記載の画像処理装置。
【請求項４】
前記属性情報は、色調整処理、または出力マスキング処理、またはγ変換処理における画像処理特性を調整することを特徴とする請求項１記載の画像処理装置。
【請求項５】
前記属性情報は、出力するプリンタの特性に基づいて作成されることを特徴とする請求項１記載の画像処理装置。
【請求項６】
前記属性情報は、画像を撮影した撮像装置、または撮影環境の特性に基づいて作成されることを特徴とする請求項１記載の画像処理装置。
【請求項７】
前記属性情報は、出力するプリンタの特性と、画像を撮影した撮像装置に基づいて作成されることを特徴とする請求項１記載の画像処理装置。
【請求項８】
前記記録媒体は，半導体メモリ、または磁気ディスク媒体、または光磁気ディスク媒体、または磁気テープ媒体であることを特徴とする請求項１記載の画像処理装置。
【請求項９】
画像データおよびプリントジョブの内容が記憶された記録媒体より、前記画像データとプリントジョブの内容を読み取る手段を有し、該読み取られたプリントジョブに従い画像データのプリントを行う画像処理装置の制御方法であって、
前記記録媒体中に記録された画像データの属性情報を読み出すステップと、
前記読み出すステップにより読み出された前記属性情報を用いて、前記画像データの画像特性を調整する調整ステップと、
前記調整ステップにより画像調整された画像データをプリントする印刷ステップと、
を有することを特徴とする画像処理装置の制御方法。
【請求項１０】
前記属性情報に関するデータは、プリントジョプを指示するファイル中に記録されていることを特徴とする請求項９記載の画像処理装置の制御方法。
【請求項１１】
前記属性情報、および属性情報に関するデータが、書き換え可能に管理されていることを特徴とする請求項９記載の画像処理装置の制御方法。
【請求項１２】
前記属性情報は、色調整処理、または出力マスキング処理、またはγ変換処理における画像処理特性を調整することを特徴とする請求項９記載の画像処理装置の制御方法。
【請求項１３】
前記属性情報は、出力するプリンタの特性に基づいて作成されることを特徴とする請求項９記載の画像処理装置の制御方法。
【請求項１４】
前記属性情報は、画像を撮影した撮像装置、または撮影環境の特性に基づいて作成されることを特徴とする請求項９記載の画像処理装置の制御方法。
【請求項１５】
前記属性情報は、出力するプリンタの特性と、画像を撮影した撮像装置に基づいて作成されることを特徴とする請求項９記載の画像処理装置の制御方法。
【請求項１６】
前記記録媒体は、半導体メモリ、または磁気ディスク媒体、または光磁気ディスク媒体、または磁気テープ媒体であることを特徴とする請求項９記載の画像処理装置の制御方法。
【請求項１７】
請求項９〜１６のいずれかに記載の画像処理装置の制御方法を実行させるためのプログラムを格納したことを特徴とするコンピュータが読み取り可能な記憶媒体。
【請求項１８】
請求項９〜１６のいずれかに記載の画像処理装置の制御方法を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、デジタルカメラの記録媒体に記憶された画像データ等を読み出して所定の画像処理を行って印刷する画像処理装置および画像処理装置の制御方法およびコンピュータが読み取り可能なプログラムを格納した記憶媒体およびプログラムに関するものである。
【手続補正４】
【補正対象書類名】明細書
【補正対象項目名】０００８
【補正方法】変更
【補正の内容】
【０００８】
本発明は、上記の問題点を解決するためになされたもので、本発明の目的は、記録媒体に画像データファイルとこれをプリント制御するための制御情報ファイル、および画像データファイルの属性情報として、画像データを補正するための、画像データ補正情報ファイルを記録しておき、該記憶媒体に記録した画像ファイルをプリントする際には、該記録媒体に記憶されている属性情報ファイルに従って、画像データを最適なものに補正してプリントするので、記録媒体に記録された画像データをプリントするプリンタの色再現性に左右されることなく、記録媒体に記録された画像データの色再現性を均一にすることが可能となり、従来のような記録媒体に記録された画像データの色再現性の調整処理のための操作負担を不要とし、ユーザが意図する色調のプリント結果を速やかに得ることができるとともに、カラー出力される画像の品質を向上させることが可能となる画像処理装置および画像処理装置の制御方法およびコンピュータが読み取り可能なプログラムを格納した記憶媒体およびプログラムに関するものである。
【手続補正５】
【補正対象書類名】明細書
【補正対象項目名】００２４
【補正方法】変更
【補正の内容】
【００２４】
本発明に係る第１６の発明は、前記記録媒体は、半導体メモリ、または磁気ディスク媒体、または光磁気ディスク媒体、または磁気テープ媒体である。
本発明に係る第１７の発明は、第９〜第１６の発明の画像処理装置の制御方法を実行させるためのプログラムをコンピュータが読み取り可能な記憶媒体に格納したものである。
本発明に係る第１８の発明は、第９〜第１６の発明の画像処理装置の制御方法を実行させるプログラムである。
【手続補正６】
【補正対象書類名】明細書
【補正対象項目名】０１１７
【補正方法】変更
【補正の内容】
【０１１７】
【発明の効果】
以上説明したように、本発明によれば、記録媒体に画像データファイルとこれをプリント制御するための制御情報ファイル、および画像データファイルの属性情報として、画像データを補正するための、画像データ補正情報ファイルを記録しておき、該記憶媒体に記録した画像ファイルをプリントする際には、該記録媒体に記憶されている属性情報ファイルに従って、画像データを最適なものに補正してプリントするので、記録媒体に記録された画像データをプリントするプリンタの色再現性に左右されることなく、記録媒体に記録された画像データの色再現性を均一にすることが可能となり、従来のような記録媒体に記録された画像データの色再現性の調整処理のための操作負担を不要とし、ユーザが意図する色調のプリント結果を速やかに得ることができるとともに、カラー出力される画像の品質を向上させることが可能となる。